【事件の表示】
　特願２００１−３１４９７８「印刷機のインキ供給量調整方法および装置」拒絶査定不服審判事件〔平成１５年　４月２３日出願公開、特開２００３−１１８０７７〕について、次のとおり審決する。
【結　論】
　本件審判の請求は、成り立たない。
【理　由】
１．手続の経緯
　本願は、平成１３年１０月１２日に出願したものであって、平成１３年１１月９日付けで手続補正がなされ、平成２０年３月１４日付けで拒絶査定がなされ、これに対し、同年４月１７日付けで拒絶査定に対する審判請求がなされたものである。
　
２．本願発明
　本願請求項１〜１８に係る発明は、平成１３年１１月９日付け手続補正で補正された明細書及び図面の記載からみて、特許請求の範囲の請求項１〜１８に記載された事項により特定されるとおりのものであり、その請求項１に係る発明（以下、「本願発明」という。）は、以下のとおりである。
「印刷物の濃度値を測定する濃度値測定手段と、
　この濃度値測定手段によって測定された濃度値と予め設定されている基準濃度値との濃度差を求める濃度差演算手段と、
　この濃度差演算手段によって求められた濃度差より刷版へのインキ供給量の修正値を求めるインキ供給量修正値演算手段とを備えた印刷機において、
　本刷り開始前の色合わせか本刷り中の色合わせかを判断するようにし、
　この判断結果に基づいて、
　本刷り開始前の色合わせの場合には、前記濃度差演算手段によって求められた濃度差より、第１の処理を行って、刷版へのインキ供給量の修正値を求めるようにし、
　本刷り中の色合わせの場合には、前記濃度差演算手段によって求められた濃度差より、前記第１の処理とは異なる第２の処理を行って、刷版へのインキ供給量の修正値を求める
　ようにしたことを特徴とする印刷機のインキ供給量調整方法。」
　
３．引用刊行物
　原査定の拒絶の理由に引用された刊行物である特開２００１−２３９６４８号公報（以下、「刊行物」という。）には、以下の記載が図示とともにある。
　ア．【請求項１】 
 印刷物の測定濃度に応じて印刷機のインキツボキーの開度を制御する装置であって
印刷開始から所定の印刷枚数経過までは
基準濃度と測定濃度との差によって決定されるインキツボキー開度の基準開度補正量に、１より大きな係数を掛けた値を開度補正量としてインキツボキーを制御し
前記所定枚数以降の印刷は、前記基準開度補正量を開度補正量としてインキツボキーを制御することを特徴とするインキ供給制御装置
　イ．【０００５】すなわち、インキを供給するインキツボと、印刷すべき版が設けられた版胴との間には、多段に設けられたローラ群が介在するため、インキツボキー開度を目標濃度に対応する値に補正しても、直ちに版胴表面に適正な量のインキが供給されるわけでなく、大量の損紙が発生するという問題があった。インキの種類や版のパターン等によって相違するが、例えば、１５０〜２００枚程度の損紙が発生することがあり、実用上大きな問題であった。
【０００６】本発明は、斯かる従来技術の問題点を解決するべくなされたもので、印刷物が目標濃度に到達するまでの損紙の発生を効果的に抑制し得るインキ供給制御装置を提供することを目的とする。
　ウ．【０００８】斯かる発明によれば、印刷開始から初期の段階では、目標濃度に適合するインキツボキー開度よりも大きい開度（目標濃度が測定濃度より大きい場合）又は小さい開度（目標濃度が測定濃度より小さい場合）となるようにインキツボキー開度を補正することになり、初期段階で補正効果を促進する方向に作用するので、印刷物が目標濃度に到達するまでの損紙の発生を抑制することができる。
　エ．【００１２】図１は、本発明の一実施形態に係るインキ供給制御装置を概略的に示す構成図である。図１に示すように、本実施形態に係るインキ供給制御装置１は、
印刷機２と、印刷物の濃度測定装置３とに接続されており
【００１３】濃度測定装置３は、分光測色計を具備しており、印刷機２によって印刷された印刷物のカラーバーの濃度を測定する。濃度測定装置３によって
測定された
濃度は
基準濃度値
と比較され
両者の差である濃度差が算出され
【００１４】制御装置１は、前記濃度差を受信し、当該濃度差に対応する量のインキツボキー２２の開度補正量を算出する。すなわち、濃度測定装置３によって測定した濃度が目標値よりも小さい場合には、インキ供給量を増加させるべく、インキツボキー２２の開度を増加させる開度補正量を算出する。一方、濃度測定装置３によって測定した濃度が目標値よりも大きい場合には、逆にインキ供給量を減少させるべく、インキツボキー２２の開度を減少させる開度補正量を算出する。濃度差に対応するインキツボキー２２の開度補正量（以下、基準開度補正量という）との関係は予め算出されており、テーブルとして制御装置１の記憶部１１に保存されている。従って、
制御装置１は、濃度測定装置３から濃度差を受信した際、記憶部１１に保存されたテーブルを参照し、受信した濃度差に対応する基準開度補正量を算出する
【００１５】さらに、制御装置１は、前記
基準開度補正量に所定の係数αを掛け、その結果をインキツボキー開度補正量とし
　オ．【００１８】・・・さらに、インキの種類や印刷用紙の種類等に応じて複数の異なる係数αを用意して、これをテーブルとして記憶部１１に保存し、前記種類等に応じて適宜読み出して使用するように構成することも可能である。また、本実施形態では、各色（シアン、マゼンタ、イエロー、ブラック等）共通の濃度補正を行い、従って、係数αも各色共通の値を使用しているが、これに限らず、各色毎に異なる係数αとすることも可能である。
　
　上記刊行物は、「インキ供給制御装置」に関するものであるが、インキ供給制御方法を認識できるので、上記記載及び図面を含む刊行物全体の記載から、刊行物には、以下の発明が開示されていると認められる。
「印刷機と、印刷物の濃度測定装置とに接続されており、印刷物の測定濃度に応じて印刷機のインキツボキーの開度を制御する装置において、
　測定された濃度は、基準濃度値と比較され、両者の差である濃度差が算出され、
　制御装置は、濃度測定装置から濃度差を受信した際、記憶部に保存されたテーブルを参照し、受信した濃度差に対応する基準開度補正量を算出し、前記基準開度補正量に所定の係数αを掛け、その結果をインキツボキー開度補正量とするものであって、
　印刷開始から所定の印刷枚数経過までは、前記基準濃度と測定濃度との差によって決定されるインキツボキー開度の基準開度補正量に、１より大きな係数を掛けた値を開度補正量としてインキツボキーを制御し、　
　前記所定枚数以降の印刷は、前記基準開度補正量を開度補正量としてインキツボキーを制御することを特徴とするインキ供給制御方法。」（以下、「引用発明」という。）
　
４．対比
　ａ．本願発明と引用発明とを比較すると、引用発明の「印刷物の濃度測定装置」、「印刷物の測定濃度」、「基準濃度値」、「濃度差」、「『インキツボキーの開度を制御する装置』或いは『制御装置』」、「インキツボキー開度補正量」及び「インキ供給制御方法」は、それぞれ本願発明の「印刷物の濃度値を測定する濃度値測定手段」、「濃度値測定手段によって測定された濃度値」、「予め設定されている基準濃度値」、「濃度差」、「インキ供給量修正値演算手段」、「刷版へのインキ供給量の修正値」及び「インキ供給量調整方法」に相当する。
　ｂ．引用発明の「印刷機と、印刷物の濃度測定装置とに接続されており、印刷物の測定濃度に応じて印刷機のインキツボキーの開度を制御する装置」は、「測定された濃度は、基準濃度値の濃度値と比較され、両者の差である濃度差が算出され」るものであるから、濃度値測定手段によって測定された濃度値と予め設定されている基準濃度値との濃度差を求める濃度差演算手段を有するものといえる。
　ｃ．引用発明の「印刷機と、印刷物の濃度測定装置とに接続されており、印刷物の測定濃度に応じて印刷機のインキツボキーの開度を制御する装置」全体を本願発明に倣い、「印刷機」と称することができ、濃度差演算手段によって求められた濃度差より刷版へのインキ供給量の修正値を求めるインキ供給量修正値演算手段を備えたものといえる。
　ｄ．引用発明は、「基準開度補正量に所定の係数αを掛け、その結果をインキツボキー開度補正量とするものであって」、「印刷開始から所定の印刷枚数経過までは、前記基準濃度と測定濃度との差によって決定されるインキツボキー開度の基準開度補正量に、１より大きな係数を掛けた値を開度補正量と」するものであり、「１より大きな係数を掛けた値を開度補正量と」する処理を「第１の処理」と称することができるから、本願発明の「本刷り開始前の色合わせの場合には、前記濃度差演算手段によって求められた濃度差より、第１の処理を行って、刷版へのインキ供給量の修正値を求める」点と、「所定の時点より前の場合には、濃度差演算手段によって求められた濃度差より、第１の処理を行って、刷版へのインキ供給量の修正値を求める」点で共通する。
　ｅ．引用発明は、「基準開度補正量に所定の係数αを掛け、その結果をインキツボキー開度補正量とするものであって」、「所定枚数以降の印刷は、前記基準開度補正量を開度補正量と」するものであり、「基準開度補正量を開度補正量と」する処理は、「１より大きな係数を掛けた値を開度補正量と」する処理とは異なるから、「基準開度補正量を開度補正量と」する処理を「第１の処理とは異なる第２の処理」と称することができる。よって、本願発明の「本刷り中の色合わせの場合には、前記濃度差演算手段によって求められた濃度差より、前記第１の処理とは異なる第２の処理を行って、刷版へのインキ供給量の修正値を求める」点と、「所定の時点より後の場合には、濃度差演算手段によって求められた濃度差より、第１の処理とは異なる第２の処理を行って、刷版へのインキ供給量の修正値を求める」点で共通する。
　ｆ．以上より、本願発明と引用発明は、
「印刷物の濃度値を測定する濃度値測定手段と、
　この濃度値測定手段によって測定された濃度値と予め設定されている基準濃度値との濃度差を求める濃度差演算手段と、
　この濃度差演算手段によって求められた濃度差より刷版へのインキ供給量の修正値を求めるインキ供給量修正値演算手段とを備えた印刷機において、
　所定の時点より前の場合には、前記濃度差演算手段によって求められた濃度差より、第１の処理を行って、刷版へのインキ供給量の修正値を求めるようにし、
　所定の時点より後の場合には、前記濃度差演算手段によって求められた濃度差より、前記第１の処理とは異なる第２の処理を行って、刷版へのインキ供給量の修正値を求める
　ようにした印刷機のインキ供給量調整方法。」
の点で一致し、以下の点で相違している。
［相違点］本願発明は、「本刷り開始前の色合わせか本刷り中の色合わせかを判断するようにし、この判断結果に基づいて」と特定され、したがって「本刷り開始前の色合わせの場合には、・・・、第１の処理を行って、・・・本刷り中の色合わせの場合には、・・・前記第１の処理とは異なる第２の処理を行って」いるのに対し、引用発明は、基準開度補正量に、１より大きな係数を掛けた値を開度補正量とし（第１の処理）、或いは、基準開度補正量を開度補正量とする（第１の処理とは異なる第２の処理）ものではあるが、印刷開始から所定の印刷枚数を経過しているか否かで２つの処理のいずれかがなされている点。
　
５．判断
　上記相違点について検討する。
　本願発明の「本刷り開始前の色合わせか本刷り中の色合わせかを判断するようにし」が具体的にどのようなことを意味するのか必ずしも明らかではないところ、本願明細書の段落【００４２】〜【００４５】に記載によると、オペレータによる印刷状態スイッチＳＷ１の操作により、格納内容が変化するメモリＭ１に「０」が格納されていた場合は、本刷り開始前の色合わせと判断し、「１」が格納されていた場合は、本刷り中の色合わせと判断することが含まれているものと認められる。
　刊行物の上記ウに「印刷開始から初期の段階では、・・・初期段階で補正効果を促進する方向に作用する」と記載されているように、引用発明は、印刷開始から初期段階での補正効果を促進することを目的としており、刊行物の上記オに「インキの種類や印刷用紙の種類等に応じて複数の異なる係数αを用意して」と記載されているように、インキの種類や印刷用紙の種類等に応じて印刷開始から初期段階での補正効果に差が生じることが示唆されている。
　引用発明において、インキの種類や印刷用紙の種類等に応じて係数αが予め既知であれば、係数αを入力しておくことができるが、インキの種類や印刷用紙の種類は多様であるから、印刷してみないと印刷開始から初期段階での補正効果は分からない。そうであれば、多様なインキの種類や印刷用紙の種類に対応できるように、印刷開始から初期段階での補正効果を監視し、オペレータが操作して「基準開度補正量に、１より大きな係数を掛けた値を開度補正量」から「基準開度補正量を開度補正量」と変更できるよう、「基準開度補正量に、１より大きな係数を掛けた値を開度補正量」から「基準開度補正量を開度補正量」に変更するようなスイッチを印刷機に設けることは、当業者が容易になし得る程度のことである。そして、そのようなスイッチがオペレータによって操作されれば、印刷機は、本刷り開始前の色合わせと判断し、或いは本刷り中の色合わせと判断することになり、したがって、本刷り開始前の色合わせの場合には、・・・、第１の処理を行って、・・・本刷り中の色合わせの場合には、・・・前記第１の処理とは異なる第２の処理を行うことになる。
　よって、本願発明の上記相違点のようなものとすることは当業者が容易になし得る程度のことである。
　
　以上のとおりであるから、本願発明の相違点に係る特定は、刊行物に記載された発明に基づいて当業者が容易に想到することができたものであり、それにより得られる効果も当業者が予測できる範囲のものである。
　
６．むすび
　以上のとおり、本願発明は、刊行物に記載された発明に基づいて、当業者が容易に発明をすることができたものであり、特許法第２９条第２項の規定により特許を受けることができないから、他の請求項に係る発明を検討するまでもなく、本願は、拒絶されるべきものである。
　よって、結論のとおり審決する。